(57)【要約】  表示装置側で操作パネルを保持しているか否かに係らず周辺機器毎に操作パネルをカスタマイズして表示可能とすることで、周辺機器の操作における拡張性を高める。周辺機器制御システムは、ＴＶ２０とレコーダ１０とがＨＤＭＩ接続されて構成される。ＴＶ２０は、レコーダ１０の操作パネルを構成する操作ボタン用の画像データを画面上に配置するための配置情報を含む操作パネル情報を記憶する。レコーダ１０は、操作ボタン用の画像データを記憶し、ＴＶ２０から取得した操作パネル情報に応じて、前記記憶されている操作ボタン用の画像データを配置情報に対応付けてＴＶ２０に送信する。ＴＶ２０は、レコーダ１０の操作パネルを表示する際に、レコーダ１０から送信された操作ボタン用の画像データを、配置情報に対応する位置に配置して表示する。
2011040144.tif 000002
【特許請求の範囲】
【請求項１】
少なくとも１つの周辺機器と、該周辺機器の操作パネルを表示可能な表示装置とが接続された周辺機器制御システムであって、
前記表示装置は、前記周辺機器の操作パネルを構成する操作ボタン用画像データを画面上に配置するための配置情報を含む操作パネル情報を記憶した第１の記憶手段を備え、
前記周辺機器は、前記操作ボタン用画像データを記憶した第２の記憶手段と、前記表示装置から取得した前記操作パネル情報に応じて、前記第２の記憶手段に記憶されている操作ボタン用画像データを前記配置情報に対応付けて前記表示装置に送信する画像データ送信手段とを備え、
前記表示装置は、前記周辺機器の操作パネルを表示する際に、前記周辺機器から送信された前記操作ボタン用画像データを、前記配置情報に対応する位置に配置して表示することを特徴とする周辺機器制御システム。
【請求項２】
請求項１に記載の周辺機器制御システムにおいて、前記表示装置は、前記操作ボタン用画像データのいずれかがユーザにより選択指示された場合、該選択指示された画像データの配置情報を前記周辺機器に送信し、
前記周辺機器は、前記表示装置に送信した配置情報と前記操作ボタン用画像データそれぞれに割り当てられた機能とを対応付けたデータテーブルを備え、前記表示装置から送信された前記画像データの配置情報に対応する機能を前記データテーブルから特定し、該特定した機能を実行することを特徴とする周辺機器制御システム。
【請求項３】
請求項１又は２に記載の周辺機器制御システムにおいて、前記表示装置は、入力映像信号の表示領域と、前記周辺機器の操作パネルの表示領域とが重ならないように、前記入力映像信号をスケーリングすることを特徴とする周辺機器制御システム。
【請求項４】
請求項１〜３のいずれか１項に記載の周辺機器制御システムにおいて、前記周辺機器は、前記操作ボタン用画像データを前記配置情報に対応付けて前記表示装置に送信する際に、前記操作ボタン用画像データそれぞれの属性を示す属性情報を前記表示装置に送信することを特徴とする周辺機器制御システム。
【請求項５】
請求項４に記載の周辺機器制御システムにおいて、前記属性情報は、前記操作ボタン用画像データについて、操作ボタンとしての機能を有するものか、あるいは、表示のみの機能を有するものかを示す情報であることを特徴とする周辺機器制御システム。
【請求項６】
請求項１〜５のいずれか１項に記載の周辺機器制御システムにおいて、前記操作パネル情報は、操作パネルの表示領域サイズ、表示位置、さらに、操作ボタン用画像データの表示サイズを示す表示サイズ情報を含み、前記配置情報は、操作ボタン用画像データの配置可能な位置及び個数を備えたものであることを特徴とする周辺機器制御システム。
【請求項７】
請求項６に記載の周辺機器制御システムにおいて、前記配置情報は、操作ボタン用画像データの配置可能な位置及び個数を、行列パターンで示したものであることを特徴とする周辺機器制御システム。
【請求項８】
請求項７に記載の周辺機器制御システムにおいて、前記周辺機器は、前記操作ボタン用画像データの配置パターンを複数種類記憶して有し、該複数種類の配置パターンの中で前記表示装置から送信された前記配置情報が示す行列パターンと一致するものがあるか否かを判定し、一致するものがある場合、該一致した配置パターンを選択し、また、一致するものがない場合、前記配置情報が示す行列パターン内に収まる最大の配置パターンを選択することを特徴とする周辺機器制御システム。
【請求項９】
請求項６に記載の周辺機器制御システムにおいて、前記周辺機器が前記操作ボタン用画像データの第１の表示サイズを有し、前記周辺機器は、前記第１の表示サイズと、前記表示装置から送信された前記表示サイズ情報が示す第２の表示サイズとが一致しない場合、前記操作ボタン用画像データを前記配置情報に対応付けて前記表示装置に送信する際に、前記第１の表示サイズの画像データを配置する位置を、前記第２の表示サイズに合わせて調整するためのオフセット情報を前記表示装置に送信することを特徴とする周辺機器制御システム。
【請求項１０】
請求項６に記載の周辺機器制御システムにおいて、前記周辺機器が前記操作ボタン用画像データの第１の表示サイズを有し、前記周辺機器は、前記第１の表示サイズと、前記表示装置から送信された前記表示サイズ情報が示す第２の表示サイズとが一致しない場合、前記操作ボタン用画像データを前記配置情報に対応付けて前記表示装置に送信する際に、前記第１の表示サイズの画像データを前記第２の表示サイズに合わせてリサイズすることを特徴とする周辺機器制御システム。
【請求項１１】
請求項６に記載の周辺機器制御システムにおいて、前記周辺機器は、前記操作ボタン用画像データを前記配置情報に対応付けて前記表示装置に送信する際に、前記配置情報で示される複数の配置位置を結合させるための結合情報を前記表示装置に送信することを特徴とする周辺機器制御システム。
【請求項１２】
請求項１〜１１のいずれか１項に記載の周辺機器制御システムにおいて、前記表示装置は、前記周辺機器から送信された前記操作ボタン用画像データを、該周辺機器の識別情報と共に、前記配置情報に対応付けて記憶して有し、
前記表示装置は、前記周辺機器との次回接続時において、該周辺機器の識別情報に基づいて、前記表示装置に記憶された前記操作ボタン用画像データを特定し、該特定した画像データを前記配置情報に対応する位置に配置して表示することを特徴とする周辺機器制御システム。
【請求項１３】
請求項１〜１２のいずれか１項に記載の周辺機器制御システムにおいて、前記周辺機器は、１つの操作ボタンについて操作状態毎に異なる複数の画像データを前記表示装置に送信し、
前記表示装置は、前記周辺機器から送信された前記操作ボタンの複数の画像データを、該操作ボタンの操作状態に応じて切り替えて表示することを特徴とする周辺機器制御システム。
【請求項１４】
請求項１〜１３のいずれか１項に記載の周辺機器制御システムにおいて、前記表示装置は、前記周辺機器が前記周辺機器制御システムによる操作パネル表示機能に対応しているか否かを判定し、対応している場合、前記操作パネル情報を前記周辺機器に送信し、また、未対応の場合、前記表示装置が有する前記周辺機器に応じたデフォルトの操作パネルを表示することを特徴とする周辺機器制御システム。
【請求項１５】
請求項１〜１４のいずれか１項に記載の周辺機器制御システムにおいて、前記周辺機器は、前記表示装置から送信された前記操作パネル情報に応じて、前記周辺機器の操作パネルを構成する操作ボタンのうちの一部を、前記表示装置が有する前記周辺機器に応じたデフォルトの操作パネルの操作ボタンで置き換えることを前記表示装置に通知すると共に、前記周辺機器の操作パネルを構成する残りの操作ボタン用画像データを前記配置情報に対応付けて前記表示装置に送信することを特徴とする周辺機器制御システム。
【請求項１６】
請求項１５に記載の周辺機器制御システムにおいて、前記表示装置は、前記周辺機器からの通知に基づいて、前記周辺機器の操作パネルを構成する操作ボタンのうちの一部を、前記表示装置が有する前記周辺機器に応じたデフォルトの操作パネルの操作ボタンで置き換えた際に、該置き換えた操作ボタンがユーザにより選択指示された場合、該選択指示された操作ボタンに対応する操作コマンドを前記周辺機器に送信することを特徴とする周辺機器制御システム。
【請求項１７】
請求項１〜１６のいずれか１項に記載の周辺機器制御システムを構成する表示装置。
【請求項１８】
請求項１〜１６のいずれか１項に記載の周辺機器制御システムを構成する周辺機器。
【発明の詳細な説明】
【技術分野】
【０００１】
本発明は、周辺機器制御システム、表示装置、及び周辺機器に関し、表示装置から該表示装置に接続された周辺機器を操作可能な周辺機器制御システム、該システムを構成する表示装置、及び周辺機器に関する。
【背景技術】
【０００２】
従来、テレビ装置（ＴＶ）に対して、レコーダ、プレーヤ、ＳＴＢ(Set Top Box)、ＡＶアンプなどの周辺機器を接続して、テレビから周辺機器を操作することが行われている。例えば、特許文献１には、画面上に周辺機器を操作するための操作パネルを表示することができるテレビ受像機が記載されている。この特許文献１に記載のテレビ受像機の場合、リモコンのメニュー表示キーが押下されると、テレビ受像機に接続された周辺機器として、ＶＴＲ、ＶＨＤ、ＢＳチューナ、文字多重受信機などが選択可能に画面表示される。そして、ユーザがリモコンを操作して、いずれかの周辺機器を選択指示すると、その機器に応じた操作パネルがテレビの画面上に表示される。
【先行技術文献】
【特許文献】
【０００３】
【特許文献１】特開昭６２−２１３７９号公報
【発明の概要】
【発明が解決しようとする課題】
【０００４】
しかしながら、上記特許文献１に記載の方法では、テレビ側で予め周辺機器の操作パネルを準備しておき、ユーザの指示により操作パネルを切り替えるようになっているため、常に決まった周辺機器としか接続することができない。すなわち、テレビ側では特定の周辺機器の操作パネルを予め保持しているため、特定の周辺機器が接続された場合には対応する操作パネルを表示させることができるが、これ以外の他の周辺機器が接続された場合には対応する操作パネルを保持していないため表示させることができない。【０００５】
このように、従来、テレビから周辺機器を操作する場合には、テレビが予め保持する操作パネルに対応した周辺機器に限定されてしまうため、ユーザからすると、新たな周辺機器をテレビに接続しようとしても、テレビから操作できない場合があり、周辺機器の操作における拡張性に乏しいという問題があった。【０００６】
本発明は、上述のごとき実情に鑑みてなされたもので、表示装置側で操作パネルを保持しているか否かに係らず周辺機器毎に操作パネルをカスタマイズして表示可能とすることで、周辺機器の操作における拡張性を高めることができる周辺機器制御システム、該システムを構成する表示装置、及び周辺機器を提供すること、を目的とする。
【課題を解決するための手段】
【０００７】
上記課題を解決するために、本発明の第１の技術手段は、少なくとも１つの周辺機器と、該周辺機器の操作パネルを表示可能な表示装置とが接続された周辺機器制御システムであって、前記表示装置は、前記周辺機器の操作パネルを構成する操作ボタン用画像データを画面上に配置するための配置情報を含む操作パネル情報を記憶した第１の記憶手段を備え、前記周辺機器は、前記操作ボタン用画像データを記憶した第２の記憶手段と、前記表示装置から取得した前記操作パネル情報に応じて、前記第２の記憶手段に記憶されている操作ボタン用画像データを前記配置情報に対応付けて前記表示装置に送信する画像データ送信手段とを備え、前記表示装置は、前記周辺機器の操作パネルを表示する際に、前記周辺機器から送信された前記操作ボタン用画像データを、前記配置情報に対応する位置に配置して表示することを特徴としたものである。【０００８】
第２の技術手段は、第１の技術手段において、前記表示装置は、前記操作ボタン用画像データのいずれかがユーザにより選択指示された場合、該選択指示された画像データの配置情報を前記周辺機器に送信し、前記周辺機器は、前記表示装置に送信した配置情報と前記操作ボタン用画像データそれぞれに割り当てられた機能とを対応付けたデータテーブルを備え、前記表示装置から送信された前記画像データの配置情報に対応する機能を前記データテーブルから特定し、該特定した機能を実行することを特徴としたものである。【０００９】
第３の技術手段は、第１又は第２の技術手段において、前記表示装置は、入力映像信号の表示領域と、前記周辺機器の操作パネルの表示領域とが重ならないように、前記入力映像信号をスケーリングすることを特徴としたものである。【００１０】
第４の技術手段は、第１〜第３のいずれか１の技術手段において、前記周辺機器は、前記操作ボタン用画像データを前記配置情報に対応付けて前記表示装置に送信する際に、前記操作ボタン用画像データそれぞれの属性を示す属性情報を前記表示装置に送信することを特徴としたものである。【００１１】
第５の技術手段は、第４の技術手段において、前記属性情報は、前記操作ボタン用画像データについて、操作ボタンとしての機能を有するものか、あるいは、表示のみの機能を有するものかを示す情報であることを特徴としたものである。【００１２】
第６の技術手段は、第１〜第５のいずれか１の技術手段において、前記操作パネル情報は、操作パネルの表示領域サイズ、表示位置、さらに、操作ボタン用画像データの表示サイズを示す表示サイズ情報を含み、前記配置情報は、操作ボタン用画像データの配置可能な位置及び個数を備えたものであることを特徴としたものである。【００１３】
第７の技術手段は、第６の技術手段において、前記配置情報は、操作ボタン用画像データの配置可能な位置及び個数を、行列パターンで示したものであることを特徴としたものである。【００１４】
第８の技術手段は、第７の技術手段において、前記周辺機器は、前記操作ボタン用画像データの配置パターンを複数種類記憶して有し、該複数種類の配置パターンの中で前記表示装置から送信された前記配置情報が示す行列パターンと一致するものがあるか否かを判定し、一致するものがある場合、該一致した配置パターンを選択し、また、一致するものがない場合、前記配置情報が示す行列パターン内に収まる最大の配置パターンを選択することを特徴としたものである。【００１５】
第９の技術手段は、第６の技術手段において、前記周辺機器が前記操作ボタン用画像データの第１の表示サイズを有し、前記周辺機器は、前記第１の表示サイズと、前記表示装置から送信された前記表示サイズ情報が示す第２の表示サイズとが一致しない場合、前記操作ボタン用画像データを前記配置情報に対応付けて前記表示装置に送信する際に、前記第１の表示サイズの画像データを配置する位置を、前記第２の表示サイズに合わせて調整するためのオフセット情報を前記表示装置に送信することを特徴としたものである。【００１６】
第１０の技術手段は、第６の技術手段において、前記周辺機器が前記操作ボタン用画像データの第１の表示サイズを有し、前記周辺機器は、前記第１の表示サイズと、前記表示装置から送信された前記表示サイズ情報が示す第２の表示サイズとが一致しない場合、前記操作ボタン用画像データを前記配置情報に対応付けて前記表示装置に送信する際に、前記第１の表示サイズの画像データを前記第２の表示サイズに合わせてリサイズすることを特徴としたものである。【００１７】
第１１の技術手段は、第６の技術手段において、前記周辺機器は、前記操作ボタン用画像データを前記配置情報に対応付けて前記表示装置に送信する際に、前記配置情報で示される複数の配置位置を結合させるための結合情報を前記表示装置に送信することを特徴としたものである。【００１８】
第１２の技術手段は、第１〜第１１のいずれか１の技術手段において、前記表示装置は、前記周辺機器から送信された前記操作ボタン用画像データを、該周辺機器の識別情報と共に、前記配置情報に対応付けて記憶して有し、前記表示装置は、前記周辺機器との次回接続時において、該周辺機器の識別情報に基づいて、前記表示装置に記憶された前記操作ボタン用画像データを特定し、該特定した画像データを前記配置情報に対応する位置に配置して表示することを特徴としたものである。【００１９】
第１３の技術手段は、第１〜第１２のいずれか１の技術手段において、前記周辺機器は、１つの操作ボタンについて操作状態毎に異なる複数の画像データを前記表示装置に送信し、前記表示装置は、前記周辺機器から送信された前記操作ボタンの複数の画像データを、該操作ボタンの操作状態に応じて切り替えて表示することを特徴としたものである。【００２０】
第１４の技術手段は、第１〜第１３のいずれか１の技術手段において、前記表示装置は、前記周辺機器が前記周辺機器制御システムによる操作パネル表示機能に対応しているか否かを判定し、対応している場合、前記操作パネル情報を前記周辺機器に送信し、また、未対応の場合、前記表示装置が有する前記周辺機器に応じたデフォルトの操作パネルを表示することを特徴としたものである。【００２１】
第１５の技術手段は、第１〜第１４のいずれか１の技術手段において、前記周辺機器は、前記表示装置から送信された前記操作パネル情報に応じて、前記周辺機器の操作パネルを構成する操作ボタンのうちの一部を、前記表示装置が有する前記周辺機器に応じたデフォルトの操作パネルの操作ボタンで置き換えることを前記表示装置に通知すると共に、前記周辺機器の操作パネルを構成する残りの操作ボタン用画像データを前記配置情報に対応付けて前記表示装置に送信することを特徴としたものである。【００２２】
第１６の技術手段は、第１５の技術手段において、前記表示装置は、前記周辺機器からの通知に基づいて、前記周辺機器の操作パネルを構成する操作ボタンのうちの一部を、前記表示装置が有する前記周辺機器に応じたデフォルトの操作パネルの操作ボタンで置き換えた際に、該置き換えた操作ボタンがユーザにより選択指示された場合、該選択指示された操作ボタンに対応する操作コマンドを前記周辺機器に送信することを特徴としたものである。【００２３】
第１７の技術手段は、第１〜第１６のいずれか１の技術手段における周辺機器制御システムを構成する表示装置である。【００２４】
第１８の技術手段は、第１〜第１６のいずれか１の技術手段における周辺機器制御システムを構成する周辺機器である。
【発明の効果】
【００２５】
本発明によれば、表示装置側で操作パネルを保持しているか否かに係らず周辺機器毎に操作パネルをカスタマイズして表示することができるため、周辺機器の操作における拡張性を高めることができる。また、これにより、家庭内の機器がテレビを中心に繋がり、テレビからより多くの機器の操作を行うことが可能となる。
【図面の簡単な説明】
【００２６】
【図１】本発明に係る周辺機器制御システムの構成例を示す図である。
【図２】図１に示した周辺機器制御システムの構成例を説明するためのブロック図である。
【図３】ＴＶの表示画面におけるレコーダの操作パネル表示領域の設定例を説明するための図である。
【図４】レコーダがＴＶから操作パネル情報を取得する方法の一例を説明するための図である。
【図５】レコーダに記憶されているデータテーブルの一例を示す図である。
【図６】図５に示した各操作ボタン用画像データの表示サイズの一例を示す図である。
【図７】レコーダが保持する操作ボタン用画像データの配置パターンの一例を示す図である。
【図８】レコーダが保持する操作ボタン用画像データの配置パターンの一例を示す図である。
【図９】レコーダにおける操作パネル最適化処理の一例を説明するための図である。
【図１０】操作ボタン用画像データのオフセット処理を説明するための図である。
【図１１】複数の領域を結合させる結合処理を説明するための図である。
【図１２】電源ボタンを座標Ａ１に配置する場合の処理の一例を説明するための図である。
【図１３】座標Ｃ１の領域をブランクにする場合の処理の一例を説明するための図である。
【図１４】座標Ａ５の領域と座標Ｂ５の領域とを結合して録画ボタンを配置する場合の処理の一例を説明するための図である。
【図１５】デフォルト操作パネルを表示する際の動作例を示す図である。
【図１６】ＴＶに複数の周辺機器を接続した場合の操作パネルの起動手順の一例を示す図である。
【図１７】デフォルト操作パネルの表示例を示す図である。
【図１８】デフォルト操作パネルの画面遷移例を示す図である。
【図１９】本発明に係るカスタム操作パネルを表示させる際の動作例について説明するための図である。
【図２０】本発明に係るカスタム操作パネルを表示させる際の動作例について説明するための図である。
【図２１】本発明に係るカスタム操作パネルの表示例について説明するための図である。
【図２２】本発明に係るカスタム操作パネルの他の表示例について説明するための図である。
【図２３】本発明に係るカスタム操作パネルの他の表示例について説明するための図である。
【図２４】ＴＶに操作ボタン用画像データを記憶して再利用する場合の動作例を説明するための図である。
【発明を実施するための形態】
【００２７】
以下、添付図面を参照しながら、本発明の周辺機器制御システム、該システムを構成する表示装置、及び周辺機器に係る好適な実施の形態について説明する。なお、本発明の実施形態においては、表示装置と周辺機器との間をＨＤＭＩ(High Definition Multimedia Interface)で接続した場合について説明する。
【００２８】
より具体的には、２００９年５月２８日付けで発表されたＨＤＭＩの規格（バージョン１．４）から、ＨＤＭＩケーブル上でイーサネット（登録商標）信号の双方向通信を行うＨＤＭＩ Ｅｔｈｅｒｎｅｔ（登録商標） Ｃｈａｎｎｅｌ（以下、ＨＤＭＩ ＨＥＣという）という機能が追加されており、このＨＤＭＩ ＨＥＣ対応のＨＤＭＩを利用するものとする。勿論、通信手段としては、このＨＤＭＩに限らず、ＨＤＭＩ ＣＥＣ（Consumer Electronics Control）や、ＩＥＥＥ１３９４、ＬＡＮ（Local Area Network）、電力線通信（ＰＬＣ：Power Line Communications）、無線通信、光通信などを利用してもよい。
【００２９】
図１は、本発明に係る周辺機器制御システムの構成例を示す図で、図中、１０は周辺機器の一例である録画装置（レコーダ）、２０は表示装置（ＴＶ）、４０はＨＤＭＩ ＨＥＣ対応のＨＤＭＩケーブルを示す。レコーダ１０とＴＶ２０とはＨＤＭＩケーブル４０を介して相互に接続されており、ケーブル一本で映像・音声信号の伝送や、イーサネット（登録商標）信号の伝送、機器間制御用のコマンドを伝送することができる。
【００３０】
ここで、ＨＤＭＩについて簡単に説明する。ＨＤＭＩは、ＴＶとレコーダなどの周辺機器間をデジタル接続するためのデジタルインタフェースであり、ＰＣとディスプレイの接続標準規格であるＤＶＩに音声伝送機能や著作権保護機能を加えて、ＡＶ機器向けにアレンジしたものとなっている。従来は機器間の接続にビデオ、オーディオ，コントロールの各信号用の複数のケーブルを用いていたが、ＨＤＭＩではケーブル１本で済むために、機器間の配線を簡略化することができる。
【００３１】
ＨＤＭＩに関する規格は規格化団体であるＨＤＭＩ  Ｌｉｃｅｎｓｉｎｇ，ＬＬＣにより２００２年１２月に基本仕様が策定され（ＨＤＭＩ規格バージョン１．０）、２００５年１２月（ＨＤＭＩ規格バージョン１．２ａ）においてＡＶ機器間のコントロールを行うための制御プロトコルとしてＣＥＣ（Consumer Electronics Control）の規定が追加された。
【００３２】
なお、ＣＥＣに関する用語は、ＨＤＭＩ規格の「2.2 Glossary of Terms」,「CEC 2.2 Glossary of Terms」他に定義されており、ＨＤＭＩ入力端子を持ちＡＶストリームを表示出力するものはシンク（Sink）機器と、ＨＤＭＩ出力端子を持ちＡＶストリームを出力するものはソース（Source）機器と、ＨＤＭＩ入力端子と出力端子を持ちＡＶストリームの入出力（転送）を行うものはリピータ（Repeater）機器と定義されている。
【００３３】
ＨＤＭＩ規格ではＣＥＣを使った機器間制御が定義されている。このＣＥＣによれば、ＨＤＭＩネットワーク上に存在する各機器に割り当てられる固有の物理アドレスと論理アドレスに基づいて様々な制御を可能としている。例えば、ユーザがテレビでデジタル放送を視聴しているときに、ＨＤＭＩで接続されたＤＶＤプレーヤを再生すると、テレビは自動的にＤＶＤプレーヤの接続された入力に切り換える。また、このＤＶＤプレーヤで表示しているメニュー操作や、電源のオン／オフなどをテレビのリモコンから操作することができる。
【００３４】
図２は、図１に示した周辺機器制御システムの構成例を説明するためのブロック図で、レコーダ１０とＴＶ２０とがＨＤＭＩケーブル４０を介して接続されている構成を示すものである。
【００３５】
ＨＤＭＩケーブル４０は、デジタル信号である映像・音声ストリームを差動方式で伝送するＴＭＤＳ（Transition Minimized Differential Signaling）ライン４１と、機器間で共通の制御信号（ＣＥＣメッセージ）を伝送する双方向バスであるＣＥＣライン４２と、イーサネット（登録商標）信号の双方向通信を行うＨＥＣライン４３とを含んでいる。またこの他に、ＨＤＭＩケーブル４０には、ＥＤＩＤ（Extended Display Identification Data）の送信や、ＨＤＣＰ（High-bandwidth Digital Content Protection system）認証等に利用されるＩ２Ｃラインが含まれる。
【００３６】
レコーダ１０は、ＨＤＭＩトランスミッタ１１、メインマイコン１２、フロントマイコン１３、ＣＥＣＩ／Ｆ１４、通信Ｉ／Ｆ１５、リモコン受光部１６、ＨＤＭＩコネクタ１７、ＬＡＮＩ／Ｆ１８、及び記憶部１９を備えている。
【００３７】
ＨＤＭＩトランスミッタ１１は、ＨＤＭＩコネクタ１７を介してＨＤＭＩケーブル４０内のＴＭＤＳライン４１と接続され、例えばＢＤやＤＶＤなどの記録メディアに記録されている映像データと音声データとを読み出し、音声信号が映像信号のブランキング期間に挿入されたＨＤＭＩ形式のストリームに変換する。そして、変換したストリームをＴＭＤＳライン４１によってＴＶ２０へ伝送する。
また、メインマイコン１２は、装置全体を制御するメインＣＰＵであって、ＨＤＭＩコントローラを含み、ＨＤＭＩトランスミッタ１１及びＬＡＮＩ／Ｆ１８の動作を制御する。
【００３８】
また、ＣＥＣＩ／Ｆ１４は、ＨＤＭＩコネクタ１７を介してＨＤＭＩケーブル４０内のＣＥＣライン４２と接続され、ＴＶ２０との間でＣＥＣメッセージの双方向通信を可能とする。ＣＥＣＩ／Ｆ１４の動作は、ＣＥＣコントローラを含むフロントマイコン１３により制御され、ＣＥＣメッセージによってＨＤＭＩ接続された機器を制御することができる。ＣＥＣの場合、ＨＤＭＩ接続された各機器の論理アドレス（機器の種別）と物理アドレス（機器の位置）が取得されるため、これらの論理アドレスと物理アドレスを指定することで所望の機器にＣＥＣメッセージを送信することができる。
【００３９】
また、フロントマイコン１３は、低電力で動作し、常にＣＥＣライン４２から転送されてくるＣＥＣメッセージを監視する。フロントマイコン１３は、サブＣＰＵであって、図示しないリモコン装置からのリモコン信号を受信するリモコン受光部１６を制御している。そして装置のスタンバイモードなどにおいてメインマイコン１２の電源がオフされているときでも、フロントマイコン１３が動作し、ＣＥＣメッセージの送受信とリモコン信号の受信とが可能な状態で維持している。
【００４０】
また、通信Ｉ／Ｆ１５は、ＨＤＭＩ以外でＴＶ２０との通信を行うためのもので、例えば、ＩＥＥＥ１３９４や、ＬＡＮ、ＰＬＣ、無線通信、光通信などの通信手段によりＴＶ２０と接続することもできる。
また、ＬＡＮＩ／Ｆ１８は、ＨＤＭＩコネクタ１７を介してＨＤＭＩケーブル４０内のＨＥＣライン４３と接続され、ＴＶ２０との間でイーサネット（登録商標）信号の双方向通信を可能とする。このＬＡＮＩ／Ｆ１８は、ＨＤＭＩトランスミッタ１１に内蔵されていてもよい。
【００４１】
また、記憶部１９は、ＨＤＭＩにおける論理アドレス、物理アドレスを記憶すると共に、後述する操作ボタン用画像データなどを記憶するＥＥＰＲＯＭ（Electrically Erasable and Programmable Read Only Memory）などの不揮発性メモリである。記憶部１９は、フロントマイコン１３あるいはメインマイコン１２により必要に応じてアクセスされ、データの読み出しや書き込みが実行される。なお、記憶部１９は、ＥＥＰＲＯＭに限定されず、例えば、ＨＤ（ハードディスク）や、フラッシュメモリなどであってもよい。
【００４２】
ＴＶ２０は、メインマイコン２１、ＨＤＭＩレシーバ２２、モニターマイコン２３、ＣＥＣＩ／Ｆ２４、通信Ｉ／Ｆ２５、リモコン受光部２６、ＨＤＭＩコネクタ２７、ＬＡＮＩ／Ｆ２８、記憶部２９、及び表示部３０を備えている。なお、チューナの記載は省略しているものとする。
【００４３】
ＨＤＭＩレシーバ２２は、ＨＤＭＩコネクタ２７を介してＨＤＭＩケーブル４０内のＴＭＤＳライン４１と接続され、レコーダ１０から転送されたストリームを受信する。このＨＤＭＩレシーバ２２はメインマイコン２１に内蔵されていてもよい。
また、メインマイコン２１は、装置全体を制御するメインＣＰＵであって、ＨＤＭＩコントローラを含み、ＨＤＭＩレシーバ２２及びＬＡＮＩ／Ｆ２８の動作を制御する。
【００４４】
ＣＥＣＩ／Ｆ２４は、ＨＤＭＩコネクタ２７を介してＨＤＭＩケーブル４０内のＣＥＣライン４２と接続され、レコーダ１０との間でＣＥＣメッセージの双方向通信を可能とする。ＣＥＣＩ／Ｆ２４の動作は、ＣＥＣコントローラを含むモニターマイコン２３により制御され、ＣＥＣメッセージによってＨＤＭＩ接続された機器を制御することができる。
【００４５】
また、モニターマイコン２３は、低電力で動作し、常にＣＥＣライン４２から転送されてくるＣＥＣメッセージを監視する。モニターマイコン２３は、サブＣＰＵであって、リモコン装置Ｒからのリモコン信号を受信するリモコン受光部２６を制御している。そして装置のスタンバイモードなどにおいてメインマイコン２１の電源がオフされているときでも、モニターマイコン２３が動作し、ＣＥＣメッセージの送受信とリモコン信号の受信とが可能な状態で維持している。
【００４６】
また、通信Ｉ／Ｆ２５は、ＨＤＭＩ以外でレコーダ１０との通信を行うためのもので、例えば、ＩＥＥＥ１３９４や、ＬＡＮ、ＰＬＣ、無線通信、光通信などの通信手段によりレコーダ１０と接続することもできる。
また、ＬＡＮＩ／Ｆ２８は、ＨＤＭＩコネクタ２７を介してＨＤＭＩケーブル４０内のＨＥＣライン４３と接続され、レコーダ１０との間でイーサネット（登録商標）信号の双方向通信を可能とする。このＬＡＮＩ／Ｆ２８は、ＨＤＭＩレシーバ２２に内蔵されていてもよい。
【００４７】
また、記憶部２９は、ＨＤＭＩにおける論理アドレス、物理アドレスを記憶すると共に、後述する操作パネル情報などを記憶するＥＥＰＲＯＭなどの不揮発性メモリである。記憶部２９は、モニターマイコン２３あるいはメインマイコン２１により必要に応じてアクセスされ、データの読み出しや書き込みが実行される。なお、記憶部２９は、ＥＥＰＲＯＭに限定されず、例えば、ＨＤ（ハードディスク）や、フラッシュメモリなどであってもよい。
【００４８】
また、表示部３０は、ＬＣＤ（Liquid Crystal Display）などのディスプレイで構成される。ＴＶ２０では、ＨＤＭＩレシーバ２２によりストリームの映像／音声が分離され、必要に応じて所定の映像信号処理及び音声信号処理を行って、表示部３０に映像表示を行うと共に、図示しないスピーカから音声出力する。
【００４９】
本発明の主たる特徴部分は、表示装置側で操作パネルを保持しているか否かに係らず周辺機器毎に操作パネルをカスタマイズして表示可能とすることで、周辺機器の操作における拡張性を高めることができるようにすることである。上記例では、表示装置がＴＶ２０に、周辺機器がレコーダ１０にそれぞれ相当する。
【００５０】
ＴＶ２０は、レコーダ１０の操作パネルを構成する操作ボタン用画像データを画面上に配置するための配置情報を含む操作パネル情報を記憶した第１の記憶手段に相当する記憶部２９を備える。また、レコーダ１０は、操作ボタン用画像データを記憶した第２の記憶手段に相当する記憶部１９と、ＴＶ２０から取得した操作パネル情報に応じて、記憶部１９に記憶されている操作ボタン用画像データを配置情報に対応付けてＴＶ２０に送信する画像データ送信手段に相当するＬＡＮＩ／Ｆ１８とを備える。ＴＶ２０は、レコーダ１０の操作パネルを表示する際に、レコーダ１０から送信された操作ボタン用画像データを、配置情報に対応する位置に配置して表示する。
【００５１】
そして、ＴＶ２０は、操作ボタン用画像データのいずれかがユーザにより選択指示された場合、選択指示された画像データの配置情報をレコーダ１０に送信する。レコーダ１０は、ＴＶ２０に送信した配置情報と操作ボタン用画像データそれぞれに割り当てられた機能とを対応付けたデータテーブルを備え、レコーダ１０から送信された画像データの配置情報に対応する機能を、このデータテーブルから特定し、特定した機能を実行するように制御される。なお、データテーブルは、レコーダ１０の記憶部１９に格納されているものとする。
【００５２】
この操作パネル情報は、具体的には、上記の配置情報以外に、操作パネルの表示領域サイズ、表示位置、表示色数、さらに、操作ボタン用の画像データの表示サイズを示す表示サイズ情報を含むものとする。また、配置情報は、操作ボタン用画像データの配置可能な位置及び個数を備えたものであり、例えば、３列（Ａ，Ｂ，Ｃ）×５行（１，２，３，４，５）などの行列パターンとして記述され、この場合、配置可能な画像データの個数は１５個となる。
【００５３】
上記において、操作ボタン用画像データとは、操作ボタンとして機能し操作ボタンそのものとして使用される画像データと、操作ガイダンス（操作説明）などのように表示のみに使用される画像データとを含むものとする。また、画像データの形式は、ビットマップ、ＪＰＥＧ(Joint Photographic Experts Group)などの画像を扱える形式であればよい。
【００５４】
レコーダ１０は、ＴＶ２０に対して、操作ボタン及び／又は操作ガイダンスボタンの画像データ及びその配置情報と共に、属性情報を送信するようにしてもよい（後述の図２２参照）。この属性情報は、操作ボタン用画像データについて、操作ボタンとしての機能を有するものか、あるいは、表示のみの機能を有するものかを示す情報である。そして、ＴＶ２０は、操作ボタンと同様に、操作ガイダンスボタンを操作パネル上に表示することができるが、操作ガイダンスボタンの属性は表示のみであるため、ユーザがリモコン装置Ｒを操作して、操作ガイダンスボタンが押下されてもその配置情報をレコーダ１０に送信しないように制御される。また、操作ガイダンスボタンにカーソルが移動しないようにして選択できないように制御してもよい。
【００５５】
ここで、レコーダ１０が、ＴＶ２０から配置情報として、３列×５行を取得すると、例えば、Ａ列１行に「電源ボタン」の画像データ、Ａ列２行に「再生ボタン」の画像データのように、操作ボタン用画像データを割り当てて、操作ボタン用画像データと配置情報とを対応付けてＴＶ２０に送信する。レコーダ１０はこのときの対応関係（画像データ、配置、機能）をデータテーブルとして記憶部１９に保存しておく。そして、ＴＶ２０は、レコーダ１０から送信された操作ボタン用画像データを、その配置情報で示される位置（以下、座標ともいう）に応じて配置して表示する。
【００５６】
このようにして、ＴＶ２０はレコーダ１０の操作ボタン用画像データを含む操作パネルを表示することができるが、ＴＶ２０は操作パネルの表示領域を提供するだけでよく、レコーダ１０側でどの位置にどの操作ボタンの画像データを配置するか決定しているため、本発明による操作パネル拡張表示機能に対応していれば、どのような周辺機器であっても操作パネルの表示が可能となる。
【００５７】
また、ＴＶ２０は、ユーザがリモコン装置Ｒを操作して、画面上の操作ボタン用画像データのいずれかが選択指示された場合、当該操作ボタンの操作コマンドではなく、操作ボタン用画像データの座標をレコーダ１０に送るだけでよい。レコーダ１０では、ＴＶ２０から送信された座標に基づいて、対応する機能を特定し、これを実行することができる。例えば、座標が「Ａ列２行（Ａ２）」であれば、「再生ボタン」が割り当てられているため、レコーダ１０では再生を実行する。
【００５８】
このように本発明によれば、表示装置側で操作パネルを保持しているか否かに係らず周辺機器毎に操作パネルをカスタマイズして表示することができるため、周辺機器の操作における拡張性を高めることができる。
【００５９】
ここで、レコーダ１０は、ＴＶ２０から操作パネル情報を取得するが、ＨＤＭＩ接続の場合、例えば、ＥＤＩＤを利用する第１の方法と、ＣＥＣメッセージのベンダコマンドを利用する第２の方法とが考えられる。
【００６０】
ＨＤＭＩ規格に準拠したシンク機器（ここではＴＶ２０）は、ＥＤＩＤを内部メモリに持っている。このＥＤＩＤは、ＴＶと接続されるソース機器（ここではレコーダ１０）に、ＴＶの機種名、設定値（解像度など）を伝えるためのＴＶ独自のＩＤであり、ＥＤＩＤのやり取りにはＨＤＭＩのコントロール信号ライン（Ｉ２Ｃ）が用いられる。例えば、レコーダ１０がＴＶ２０とＨＤＭＩ接続された際に、ＴＶ２０へアクセスしてＥＤＩＤを読み取り、ＴＶ２０に応じた解像度で映像を出力することができる。
【００６１】
上記第１の方法では、ＥＤＩＤの中に操作パネル情報を書き込んでおく。これにより、レコーダ１０がＴＶ２０にアクセスしたときに、ＥＤＩＤの中に含まれる操作パネル情報を読み込んで取得することができる。
また、上記第２の方法では、ＴＶ２０からレコーダ１０に対して、操作パネル情報をＣＥＣメッセージに付加して送信する。このＣＥＣメッセージとしては、例えば、メーカが独自に定義することができるベンダコマンドを利用することが考えられる。
【００６２】
ここで、ＴＶ２０は、入力映像信号の表示領域と、レコーダ１０の操作パネルの表示領域とが重ならないように、入力映像信号のスケーリングを行うが、これについて以下に説明する。
【００６３】
図３は、ＴＶ２０の表示画面におけるレコーダ１０の操作パネル表示領域の設定例を説明するための図である。図３（Ａ）はレコーダ１０の操作パネルを表示する操作パネル表示領域の設定例を示し、図３（Ｂ）は操作パネルを構成する操作ボタン用画像データを配置するための行列パターン（配置情報）を示す。
【００６４】
図３（Ａ）の例では、ＴＶ２０における表示部３０の画面仕様として、１ライン当たり（水平方向）の有効画素数を１９２０画素、垂直方向の有効画素数を１０８０画素としている。そして、映像信号の表示領域のサイズを１５３６×１０８０とし、レコーダ１０の操作パネルの表示領域のサイズを３８４×８１０とし、操作パネルの表示位置を（１５３６，２７０）としている。このようにして、ＴＶ２０では予めレコーダ１０の操作パネルの表示領域を設定しておく。そして、ＴＶ２０は、上記映像信号の表示領域サイズ（１５３６×１０８０）に合わせて、入力映像信号をスケーリングして表示する。なお、操作パネルの表示領域サイズは、ＴＶ２０のインチサイズに応じて適宜決定すればよい。
【００６５】
例えば、ユーザはＴＶ２０である番組を視聴中に、リモコン装置Ｒを操作することにより、レコーダ１０の操作パネルを表示させた場合に、番組の映像信号がスケーリングされるため、番組映像と操作パネルが重ならないようにすることができる。このため、視聴中の番組映像が操作パネルで隠されることがなく、視認性が劣化することがない。
【００６６】
また、図３（Ｂ）の例は、操作パネルを構成する操作ボタン用画像データを配置するための行列パターンを示すが、この例では、１つの操作ボタン用画像データの表示サイズを１２８×１２８として、これらの画像データを３列（Ａ，Ｂ，Ｃ）×５行（１，２，３，４，５）の行列形式で配置するようにしている。ここでは操作ボタン用画像データを１５個配置することができる。そして、ＴＶ２０は、３列×５行における各座標（ここでは、Ａ列１行、Ａ列２行、…）を管理しており、レコーダ１０から操作ボタン用画像データとその対応座標とを受け取ると、その対応座標に応じた位置に操作ボタン用画像データを配置する。
【００６７】
前述したように、操作パネル情報は、操作パネルの表示領域サイズ、表示位置、表示色数、さらに、操作ボタン用画像データの表示サイズ、操作ボタン用画像データの配置可能な位置及び個数を行列形式で示した配置情報（行列パターン）の５つの情報で構成されるが、本例の場合、順に、３８４×８１０、（１５３６，２７０）、２５６色、１２８×１２８、３列５行となる。そして、この操作パネル情報は、ＴＶ２０がレコーダ１０にＣＥＣメッセージを用いて送信するか、あるいは、レコーダ１０がＴＶ２０のＥＤＩＤを読み取ることにより、レコーダ１０にて取得される。
【００６８】
図４は、レコーダ１０がＴＶ２０から操作パネル情報を取得する方法の一例を説明するための図である。ここで、ＴＶ２０に接続されるレコーダ１０が必ずしも本発明による操作パネル拡張表示機能（すなわち、本発明の周辺機器制御システムによる操作パネル表示機能）に対応しているとは限らない。そこで本例では、ＴＶ２０とレコーダ１０とがＨＤＭＩ接続されたときに、ＴＶ２０からレコーダ１０に対応レベルを問い合わせ、その結果に応じてＴＶ２０からレコーダ１０に操作パネル情報を送信するように構成される。
【００６９】
まず、ＴＶ２０は、レコーダ１０に対して、本発明による操作パネル拡張表示機能に対応しているか否かを判定するための対応レベルを問い合わせ（Ｓ１）、レコーダ１０は、ＴＶ２０に対して、自身の対応レベルを返信（通知）する（Ｓ２）。レコーダ１０は、予め自身の対応レベルを内部メモリに保持しており、例えば、未対応であれば“レベル１”、また、対応であれば“レベル２”がそれぞれ保持されているものとする。
【００７０】
そして、ＴＶ２０は、レコーダ１０から返信された対応レベルに基づいて、レコーダ１０が操作パネル拡張表示機能に対応しているか否かを判定する（Ｓ３）。ここで、レコーダ１０からの返信が“レベル２”であれば、対応機器と判定し（ＹＥＳの場合）、レコーダ１０に操作パネル情報を送信する（Ｓ４）。また、Ｓ３において、レコーダ１０からの返信が“レベル１”であれば、未対応機器と判定し（ＮＯの場合）、ＴＶ２０が有するレコーダ１０のデフォルトの操作パネルを表示する（Ｓ５）。なお、ＴＶ２０は、上記Ｓ１の問い合わせに対する返信がない場合には、レコーダ１０が未対応と判定してもよい。
【００７１】
上記Ｓ５において、レコーダ１０のデフォルトの操作パネル（以下、デフォルト操作パネルという）とは、ＴＶ２０が予め備えるレコーダ１０に対応した操作パネルであり、本発明による操作パネル（以下、しばしばカスタム操作パネルという）とは異なるものである。このデフォルト操作パネルは、従来と同様に、ユーザがリモコン装置Ｒを操作することで、選択指示された操作ボタンの操作コマンドをレコーダ１０に送信するようになっている。なお、ＴＶ２０に接続された機器が未対応機器であって、ＴＶ２０がデフォルト操作パネルを保持していない場合には、操作パネルを表示できないため、エラー表示等を行うことが望ましい。
【００７２】
なお、本例において、ＴＶ２０とレコーダ１０との通信には、例えば、ＣＥＣメッセージのベンダコマンドを利用することができるが、通信手段としてはＣＥＣに限定されるものではない。
【００７３】
図５は、レコーダ１０に記憶されているデータテーブルの一例を示す図である。本例に示す操作ボタン用画像データを含むデータテーブルは記憶部１９に格納されているものとする。このように、レコーダ１０では操作ボタン毎に名称、画像データ、機能（操作ボタンに対応するリモコン機能）がデータテーブルとして管理される。そして、ＴＶ２０からの操作パネル情報に応じて、操作ボタン用画像データの座標が決定すると、その座標を上記のデータテーブルに追加する。これにより、操作ボタン用画像データの座標と操作ボタンそれぞれの機能とが対応付けされるため、レコーダ１０は、このデータテーブルに基づいて、ＴＶ２０から送信されてくる座標に応じた機能を特定し、これを実行することができる。
【００７４】
図６は、図５に示した各操作ボタン用画像データの表示サイズの一例を示す図である。本例では、各操作ボタン用画像データは、１００×８０の表示サイズとして規定されている。この表示サイズに関する情報はレコーダ１０の記憶部１９に保持されているものとする。なお、この操作ボタン用画像データの表示サイズは、ＴＶ２０から取得した操作パネル情報に基づいて、適宜最適化されるが、これについては後述の図９において説明するものとする。
【００７５】
図７、図８は、レコーダ１０が保持する操作ボタン用画像データの配置パターンの一例を示す図である。このようにレコーダ１０は、記憶部１９に、操作ボタン用画像データの配置パターンを複数種類記憶していてもよい。図７（Ａ）は２×２の配置パターンの例を示し、図７（Ｂ）は２×３の配置パターンの例を示し、図７（Ｃ）は２×４の配置パターンの例を示す。また、図８（Ａ）は３×３の配置パターンの例を示し、図８（Ｂ）は３×４の配置パターンの例を示し、図８（Ｃ）は３×５の配置パターンの例を示す。なお、図８（Ｃ）に示す３×５の配置パターンは、前述の図３（Ｂ）に示した行列パターン（３×５）と一致する。
【００７６】
図７（Ａ）に示す２×２の配置パターンは、ｐｏｓ_２×２として定義される。これによれば、座標Ａ１には再生ボタン、座標Ｂ１には停止ボタン、座標Ａ２には早戻しボタン、座標Ｂ２には早送りボタンが配置される。以下同様のルールで配置パターンが定義されている。また、図８（Ｂ）では、録画ボタン（btn_REC）が２つの座標（Ａ４，Ｂ４）にまたがって配置されるように定義されている。具体的には、同じ操作ボタン（例えば、録画ボタン（btn_REC））が座標Ａ４，Ｂ４の両方に設定された場合に、Ａ４及びＢ４が結合され、２つの座標で１つの操作ボタンを表示するというルールを決めておけばよい。
【００７７】
図９は、レコーダ１０における操作パネル最適化処理の一例を説明するための図である。本例では、レコーダ１０が図７,８に示した６種類の配置パターン、すなわち、ｐｏｓ_２×２、ｐｏｓ_２×３、ｐｏｓ_２×４、ｐｏｓ_３×３、ｐｏｓ_３×４、ｐｏｓ_３×５を保持しているものとする。
【００７８】
まず、ＴＶ２０は、前述の図４で説明したように、レコーダ１０が操作パネル拡張表示機能に対応していることを確認した場合、レコーダ１０に操作パネル情報を送信する（Ｓ１１）。本例では、操作パネル情報として、操作パネルの表示領域サイズ：３８４×８１０、表示位置：（１５３６，２７０）、表示色数：２５６色、操作ボタン用画像データの表示サイズ：１２８×１２８、操作ボタン用画像データの行列パターン：３列５行、が送信される。
【００７９】
次に、レコーダ１０は、ＴＶ２０から送信された操作パネル情報に応じて、操作パネルの最適化処理を行う（Ｓ１２）。第１の最適化処理として、レコーダ１０は、レコーダ１０が持つ複数種類の配置パターンの中でＴＶ２０から送信された行列パターンと一致するものがあるか否かを判定し、一致するものがある場合、一致した配置パターンを選択し、また、一致するものがない場合、行列パターン内に収まる最大の配置パターンを選択する。
【００８０】
本例の場合、ＴＶ２０からの行列パターンは３×５であるため、レコーダ１０に記憶されている複数種類の配置パターンの中で、ｐｏｓ_３×５の配置パターンが一致すると判定される。また、例えば、ＴＶ２０からの行列パターンが２×５であり、一致する配置パターンがない場合、２×５の行列パターンに収まる最大の配置パターンは、２×４と判定される。この場合、１行分はブランクとなる。
【００８１】
第２の最適化処理として、操作ボタン用画像データの表示サイズが一致するか否かを判定する。ここでは、レコーダ１０が有する操作ボタン用画像データの第１の表示サイズは、１００×８０（図６）であり、ＴＶ２０から送信された操作ボタン用画像データの第２の表示サイズは、１２８×１２８（図３（Ｂ））である。この場合、レコーダ１０が持つ第１の表示サイズと、ＴＶ２０から送信された第２の表示サイズとが一致しないため、レコーダ１０は、第１の表示サイズの画像データを配置する位置を、第２の表示サイズに合わせて調整するためのオフセット計算を行う。
【００８２】
なお、レコーダ１０は、前述のカスタム操作パネルに対応した、複数の表示サイズの操作ボタン用画像データを保持し、これらの中からいずれかの操作ボタン用画像データを選択するようにしてもよい。例えば、ＴＶ２０から送信された第２の表示サイズと一致する操作ボタン用画像データがある場合には、この操作ボタン用画像データを選択し、第２の表示サイズと一致する操作ボタン用画像データがない場合には、第２の表示サイズよりも小さい操作ボタン用画像データを選択する。そして、上記と同様に、表示サイズが一致しない場合には、オフセット／リサイズ処理を行う。
【００８３】
図１０に示すように、ＴＶ２０の第２の表示サイズはＷｔ×Ｈｔ（１２８×１２８）であり、レコーダ１０の第１の表示サイズはＷｒ×Ｈｒ（１００×８０）であるため、ＴＶ２０の第２の表示サイズのほうがレコーダ１０の第１の表示サイズよりも大きい。このような場合には、例えば、操作ボタン用画像データをセンタリング表示するためのオフセット計算を行う。具体的には、
ｘ＝（Ｗｔ−Ｗｒ）／２＝１４、ｙ＝（Ｈｔ−Ｈｒ）／２＝２４、
と算出され、オフセット量（ｘ＝１４，ｙ＝２４）を求めることができる。そして、レコーダ１０は、ＴＶ２０に対して、操作ボタン用画像データを送信する際に、求めたオフセット量をオフセット情報として送信する。
【００８４】
また、レコーダ１０は、レコーダ１０が持つ第１の表示サイズと、ＴＶ２０から送信された第２の表示サイズとが一致しない場合、第１の表示サイズの画像データを第２の表示サイズに合わせてリサイズしてもよい。例えば、上記のように、レコーダ１０の第１の表示サイズ＜ＴＶ２０の第２の表示サイズの場合、第１の表示サイズの画像データを拡大して第２の表示サイズと同じサイズにしてもよい。また、これとは逆に、レコーダ１０の第１の表示サイズ＞ＴＶ２０の第２の表示サイズの場合、第１の表示サイズの画像データを縮小して第２の表示サイズと同じサイズにしてもよい。
【００８５】
また、図１１に示すように、レコーダ１０は、ＴＶ２０に対して、操作ボタン用画像データを送信する際に、ＴＶ２０からの行列パターンで示される複数の配置位置を結合させる結合処理を行わせるための結合情報を送信するようにしてもよい。この例では、録画ボタンを座標Ａ５とＢ５の両方の領域に割り当てて、さらに、表示位置のオフセット量を算出して表示位置を調整するようにしている。この場合のオフセット量は、ｘ＝７８、ｙ＝２４と算出される。
【００８６】
図９において、レコーダ１０は、上記のようにして操作パネルの最適化処理を行った後に、ＴＶ２０に操作ボタンデータを送信する（Ｓ１３）。この操作ボタンデータには、操作ボタン用画像データ、その配置位置を示す座標のほかに、操作ボタン用画像データのオフセット情報（例えば、ｘ＝１４，ｙ＝２４）と、操作ボタン用画像データの属性（例えば、操作ボタン、表示のみ、ブランクのいずれか）と、複数の配置位置を結合したときの結合情報（例えば、座標Ａ５とＢ５を結合）とが含まれる。そして、レコーダ１０は、ＴＶ２０に操作ボタンデータの送信完了通知を通知し（Ｓ１４）、ＴＶ２０は、レコーダ１０から送信された操作ボタンデータに基づいて、操作パネル表示処理を行う（Ｓ１５）。
【００８７】
なお、レコーダ１０からＴＶ２０へのデータ送信処理では、画像データを送信するため、ＨＤＭＩ ＣＥＣライン４２と比べて通信速度の速いＨＤＭＩ ＨＥＣライン４３を使用することで、より高速なデータ送信が可能となる。
【００８８】
図１２は、電源ボタンを座標Ａ１に配置する場合の処理の一例を説明するための図である。レコーダ１０は、ＴＶ２０に対して、座標Ａ１について操作ボタンデータの送信開始を通知する（Ｓ２１）。そして、レコーダ１０は、ＴＶ２０に対して、操作ボタン用画像データ（btn_POWER）を送信し（Ｓ２２）、図１０に示したオフセット情報（ここではｘ＝１４，ｙ＝２４）を送信し（Ｓ２３）、操作ボタンの属性（ここでは“ボタン”）を通知する（Ｓ２４）。最後に、レコーダ１０は、ＴＶ２０に対して、座標Ａ１について操作ボタンデータの送信完了を通知する（Ｓ２５）。
【００８９】
図１３は、座標Ｃ１の領域をブランクにする場合の処理の一例を説明するための図である。レコーダ１０は、ＴＶ２０に対して、座標Ｃ１について操作ボタンデータの送信開始を通知する（Ｓ３１）。そして、レコーダ１０は、ＴＶ２０に対して、操作ボタンの属性“ブランク”を通知する（Ｓ３２）。最後に、レコーダ１０は、ＴＶ２０に対して、座標Ｃ１について操作ボタンデータの送信完了を通知する（Ｓ３３）。
【００９０】
図１４は、座標Ａ５の領域と座標Ｂ５の領域とを結合して録画ボタンを配置する場合の処理の一例を説明するための図である。レコーダ１０は、ＴＶ２０に対して、座標Ａ５について操作ボタンデータの送信開始を通知し（Ｓ４１）、座標Ａ５とＢ５の領域を結合する旨を通知する（Ｓ４２）。そして、レコーダ１０は、ＴＶ２０に対して、操作ボタン用画像データ（btn_REC）を送信し（Ｓ４３）、図１１に示したオフセット情報（ここではｘ＝７８，ｙ＝２４）を送信し（Ｓ４４）、操作ボタンの属性（ここでは“ボタン”）を通知する（Ｓ４５）。最後に、レコーダ１０は、ＴＶ２０に対して、座標Ａ５について操作ボタンデータの送信完了を通知する（Ｓ４６）。
【００９１】
ここで、ＴＶ２０は、レコーダ１０から送信された操作ボタン用画像データを、レコーダ１０の識別情報と共に、座標に対応付けて記憶するようにしてもよい。この場合、ＴＶ２０は、レコーダ１０との次回接続時において、レコーダ１０の識別情報に基づいて、ＴＶ２０に記憶された操作ボタン用画像データを特定し、特定した画像データを座標に対応する位置に配置して表示する。これにより、レコーダ１０は、電源のオン／オフや、ＨＤＭＩケーブルの抜き挿しなどの度に、操作ボタン用画像データを送信する必要がないため、通信負荷を軽減することができる。
【００９２】
また、ＴＶ２０が持つデフォルト操作パネルの一部を利用するようにしてもよい。この場合、レコーダ１０は、ＴＶ２０から送信された操作パネル情報に応じて、レコーダ１０の操作パネルを構成する操作ボタンのうちの一部を、ＴＶ２０が有するレコーダ１０に応じたデフォルト操作パネルの操作ボタンで置き換えることをＴＶ２０に通知する。そして、レコーダ１０は、レコーダ１０の操作パネルを構成する残りの操作ボタン用画像データを座標に対応付けてＴＶ２０に送信するように構成される。
【００９３】
ＴＶ２０は、レコーダ１０からの通知に基づいて、レコーダ１０の操作パネルを構成する操作ボタンのうちの一部を、上記のデフォルト操作パネルの操作ボタンで置き換える。そして、ＴＶ２０は、ユーザがリモコン装置Ｒを操作して、置き換えた操作ボタンを選択指示した場合、選択指示された操作ボタンに対応する操作コマンドをレコーダ１０に送信する。すなわち、デフォルト操作パネルで置き換えた操作ボタンでは操作コマンドが送信され、カスタム操作パネルの操作ボタンでは座標が送信される。これにより、レコーダ１０は、操作パネルを構成する全ての操作ボタン用画像データを送信する必要がないため、通信負荷を軽減することができる。
【００９４】
また、レコーダ１０が、１つの操作ボタンについて操作状態毎に異なる複数の画像データを予め保持しておき、これをＴＶ２０に送信するようにしてもよい。この場合、ＴＶ２０は、レコーダ１０から送信された操作ボタンの複数の画像データを、その操作ボタンの操作状態に応じて切り替えて表示するように構成される。ＴＶ２０は、例えば、各操作ボタンについて、有効、無効（操作不可能）、選択、決定、などのように、レコーダ１０の操作状態に応じて複数の画像データを切り替える。具体的には、レコーダ１０は、ＴＶ２０に対して、操作ボタンについて操作状態を通知し、これを受けたＴＶ２０は、その通知された操作状態に応じて複数の画像データを切り替えるようにすればよい。
【００９５】
例えば、レコーダ１０は、停止ボタンについて操作不可能と判定した場合には、その旨をＴＶ２０に対して通知する。そして、通知を受けたＴＶ２０は、停止ボタンの画像データを、操作不可能を示す画像データに切り替えて表示する。もし操作不可能な状態にある停止ボタンが押下され、選択指示された場合には、ＴＶ２０は、レコーダ１０に対して、停止ボタンの座標を送信しないように制御される。また、ＴＶ２０は、停止ボタンをグレーアウトさせて選択できなくしてもよいし、あるいは、停止ボタンの位置にカーソルが移動できないようにして選択できないようにしてもよい。
【００９６】
以下、本発明による周辺機器制御システムの動作例について、図１５〜図２４に示すＴＶ２０の画面遷移に基づいて説明する。
図１５は、デフォルト操作パネルを表示する際の動作例を示す図である。まず、ＴＶ２０とレコーダ１０とがＨＤＭＩ接続されると（Ｓ５１）、ＴＶ２０は、レコーダ１０に対して、対応レベルを確認するための問い合わせを行い（Ｓ５２）、レコーダ１０が未対応であれば、ＴＶ２０が持つレコーダ１０のデフォルト操作パネル２０１を表示する（Ｓ５３）。ここで、ＴＶ２０は、ＴＶ２０が持つ複数のデフォルト操作パネルの中から、接続機器に応じたデフォルト操作パネルを自動的に選択して表示することができる。この際、ＴＶ２０は、入力映像信号とデフォルト操作パネルとが重なって表示されないように、入力映像信号をスケーリングして表示する。
【００９７】
図１６は、ＴＶ２０に複数の周辺機器を接続した場合の操作パネルの起動手順の一例を示す図である。ここでは、ＴＶ２０に１台のＡＶアンプ５０が接続され、このＡＶアンプ５０に３台のレコーダ１０１，１０２，１０３が接続されている場合について示す。ＴＶ２０、ＡＶアンプ５０、及びレコーダ１０３は電源がオンされ、レコーダ１０１及びレコーダ１０２は電源がオフされているものとする。
【００９８】
まず、ユーザがレコーダ１０２の電源をオンした後に（Ｓ６１）、リモコン装置Ｒを操作して、ＴＶ２０に接続されている周辺機器一覧２０２を表示させる（Ｓ６２）。この周辺機器一覧２０２には、現在ＴＶ２０に接続されている機器名が表示される。レコーダ１０１、レコーダ１０２、レコーダ１０３、ＡＶアンプ５０がそれぞれ一覧のレコーダ１、レコーダ２、レコーダ３、ＡＶアンプに相当する。この際、電源オフされているレコーダ１の表示はグレーアウトされている。
【００９９】
上記の周辺機器一覧２０２において、直前に電源がオンされたレコーダ２はアクティブ機器として認識され、周辺機器一覧２０２では他の機器と識別できるように太枠で強調表示される。また、電源オフされているレコーダ１を選択することにより、レコーダ１の電源をオンして、レコーダ１を操作することもできる。この場合には、レコーダ１の表示が強調表示される。
【０１００】
そして、ユーザがリモコン装置Ｒを操作して、この周辺機器一覧２０２の中で操作パネルを表示させたい機器を選択すると、その機器に対応したデフォルト操作パネル２０１が表示される。デフォルト操作パネル２０１の表示例としては、図１５に示したような状態で表示される。また、デフォルト操作パネル２０１の他の表示例として、図１７に示すように、周辺機器一覧２０２の下に、ユーザが選択した機器のデフォルト操作パネル２０１を表示するようにしてもよい。この例では、レコーダ２が選択されており、このレコーダ２のデフォルト操作パネル２０１が表示されている。
【０１０１】
なお、図１６の例では、複数機器を接続した場合のデフォルト操作パネルの起動手順について示したが、カスタム操作パネルの起動についても基本的に同様の手順によって実行される。
【０１０２】
図１８は、デフォルト操作パネル２０１の画面遷移例を示す図である。図１８（Ａ）において、ユーザがリモコン装置Ｒを操作して、レコーダ１０を再生したときは、再生中の状態をＴＶ２０に返す。そして、ＴＶ２０は、レコーダ１０が再生中であれば再生ボタンを押下しても動作しないため、再生ボタンをグレーアウトさせる（Ｓ７１）。また、図１８（Ｂ）において、レコーダ１０は、ＢＤやＤＶＤなどのディスクが挿入された場合、ディスクの種別をＴＶ２０に通知する。ＴＶ２０は、ＢＤＲＯＭなどの録画できないディスクであれば、録画ボタン、録画停止ボタンは機能しないため、これらのボタンをグレーアウトさせる（Ｓ７２）。
【０１０３】
図１９、図２０は、本発明に係るカスタム操作パネルを表示させる際の動作例について説明するための図である。ＴＶ２０は、図１９（Ａ）に示すように、予め操作パネルを表示させる領域等を決めておき、操作パネル情報として格納しておく。この操作パネル情報は、前述の図３で説明したように、操作パネルの表示領域サイズ、表示位置、表示色数、さらに、操作ボタン用画像データの表示サイズ、操作ボタン用画像データの配置可能な位置及び個数を行列形式で示した配置情報（行列パターン）の５つの情報で構成される。
【０１０４】
また、レコーダ１０は、図１９（Ｂ）に示すように、操作ボタン用画像データと、この画像データを配置する座標とを対応させると共に、この座標と操作ボタンの機能とを対応させて保持しておく。例えば、再生ボタンの場合、配置される座標が「Ｂ２」で、機能が「再生」となるが、その他の操作ボタンについても同様に対応付けを行っておく。
【０１０５】
図２０において、ＴＶ２０は、前述の図４で説明したように、レコーダ１０が操作パネル拡張表示機能に対応していることを確認した場合、操作パネル情報をレコーダ１０に送信する（Ｓ８１）。これを受けてレコーダ１０は、操作ボタン用画像データとその座標とをＴＶ２０に送信する（Ｓ８２）。そして、ＴＶ２０は、レコーダ１０から送信された操作ボタン用画像データを、その座標に対応する位置に配置して、カスタム操作パネル２０３を表示する（Ｓ８３）。
【０１０６】
そして、ユーザがリモコン装置Ｒを操作して、再生ボタンが押下された場合、ＴＶ２０は、この再生ボタンに対応する座標がＢ２であることを認識し、この座標Ｂ２が押下されたことをレコーダ１０に通知する（Ｓ８４）。この通知を受けてレコーダ１０は、座標Ｂ２に対応する機能（ここでは再生（ＰＬＡＹ））を特定し、再生機能を実行する（Ｓ８５）。このように、ＴＶは、接続された周辺機器を操作するための操作ボタンを表示するが、各操作ボタンがどのような機能を持っているのか把握する必要がなく、単に操作ボタンの座標を送信するだけでよい。このためＴＶ側の負荷を大幅に軽減することができる。
【０１０７】
図２１は、本発明に係るカスタム操作パネルの表示例について説明するための図である。この例のカスタム操作パネル２０３では、操作ボタン用画像データの表示に加えて、周辺機器の状態などの情報（以下、表示情報という）を表示する情報表示領域２０４を設けている。表示情報とは、レコーダ１０の場合、現在再生中の番組コンテンツについて、例えば、タイトル、チャプタ、再生時間、時刻、チャンネルなどの情報である。
【０１０８】
この場合、ＴＶ２０は、画面上に配置する情報表示領域の配置位置、サイズを予め決めておき、この情報表示領域を識別するための領域識別情報（例えば、識別番号１，２，…など）を付与しておくことが考えられる。そして、ＴＶ２０はこの情報表示領域の配置位置、サイズ、及び領域識別情報を操作パネル情報に含めて保持しておく。ＴＶ２０からレコーダ１０に操作パネル情報が送信されると、レコーダ１０側で表示情報を配置する領域を決定し、この領域の領域識別情報を表示情報と共にＴＶ２０に送信する。ＴＶ２０では、レコーダ１０から送信された表示情報を、その領域識別情報に対応する情報表示領域に表示する。
【０１０９】
図２１において、まず、ＴＶ２０は、前述の図４で説明したように、レコーダ１０が操作パネル拡張表示機能に対応していることを確認した場合、操作パネル情報をレコーダ１０に送信する（Ｓ９１）。これを受けてレコーダ１０は、表示情報とその表示情報を表示する領域を識別するための領域識別情報とをＴＶ２０に送信する。そして、ＴＶ２０は、レコーダ１０から送信された表示情報を、その領域識別情報に対応する情報表示領域２０４に配置して、カスタム操作パネル２０３を表示する（Ｓ９２）。
【０１１０】
図２２は、本発明に係るカスタム操作パネルの他の表示例について説明するための図である。レコーダ１０は、図２２（Ａ）に示すように、操作ボタン用画像データと、この画像データを配置する座標とを対応させると共に、この画像データの属性を対応させて保持しておく。例えば、「−１０秒」ボタンの場合、配置される座標が「Ａ４」で、属性が「ボタン」であり、「ガイダンス１」ボタンの場合、配置される座標が「Ａ５」で、属性が「表示のみ」となっている。同様に、「ガイダンス２」ボタン、「ガイダンス３」ボタンについても属性は「表示のみ」である。これらの操作ガイダンスボタンとは、操作ボタンの操作を説明するためのボタンであり、操作ガイダンスを表示するだけで、操作機能を持つものではない。
【０１１１】
図２２（Ｂ）において、レコーダ１０は、ＴＶ２０に対して、操作ボタン及び操作ガイダンスボタンの画像データ及びその座標と共に、上記の属性情報を送信する。そして、ＴＶ２０は、操作ボタンと同様に、操作ガイダンスボタンを操作パネル上に表示するが、操作ガイダンスボタンの属性は表示のみであるため、ユーザがリモコン装置Ｒを操作して、操作ガイダンスボタンが押下されてもその座標をレコーダ１０に送信しないように制御される。また、操作ガイダンスボタンにカーソルが移動しないようにして選択できないように制御してもよい。
【０１１２】
図２２の例では、属性が表示のみの操作ガイダンスボタン１〜３を操作パネルに配置したが、この操作パネルの該当領域（本例では座標Ａ５〜Ｃ５に対応）を、図２１に示した情報表示領域２０４として使用することもできる。この場合、レコーダ１０から表示領域（座標Ａ５〜Ｃ５）を指定して、表示情報（属性は表示のみ）を送信する。勿論、複数の座標領域を結合させることも可能であり、本例の場合、座標Ａ５〜Ｃ５の領域が結合され、図２１に示した情報表示領域２０４と同様の情報表示領域が構成される。このようにして構成された情報表示領域に例えば図２１に示した機器の表示情報（再生中、タイトル１、チャプター１０、再生時間００１：２３：４５）を配置して表示することができる。
【０１１３】
図２３は、本発明に係るカスタム操作パネルの他の表示例について説明するための図である。本例において、レコーダ１０は、図２３（Ａ）に示すように、１つの操作ボタンに対して操作状態毎に複数の画像データを保持する。ここでは、停止ボタンについて、操作状態毎、すなわち、ボタン有効、ボタン無効、ボタン選択、ボタン決定毎に異なる画像を保持している。
【０１１４】
そして、図２３（Ｂ）に示すように、レコーダ１０は、上記の停止ボタンの画像データを含む操作ボタン用画像データとその座標とをＴＶ２０に送信し（Ｓ１０１）、ＴＶ２０は、レコーダ１０から送信された操作ボタン用画像データをその座標に応じた位置に配置して、カスタム操作パネル２０３を表示する（Ｓ１０２）。このとき、ＴＶ２０は、レコーダ１０からその操作状態の通知を受け、通知内容に応じて、操作ボタン毎に複数の画像データを切り替えて表示する。この停止ボタンの例では、上記のボタン有効、ボタン無効、ボタン選択、ボタン決定の４つの操作状態に応じて画像が切り替えられる。
【０１１５】
図２４は、ＴＶ２０に操作ボタン用画像データを記憶して再利用する場合の動作例を説明するための図である。まず、ＴＶ２０は、レコーダ１０から最初に操作ボタン用画像データを受信したときに、その画像データと、対応座標と、レコーダ１０を識別するための識別情報とを対応付けて記憶しておく（Ｓ１１１）。そして、電源のオフ／オン、あるいは、ケーブルの抜き挿しなどが合った場合に（Ｓ１１２）、ＴＶ２０は、レコーダ１０から識別情報を取得し、この識別情報に応じた操作ボタン用画像データが記憶されているか否かを判定する。そして、操作ボタン用画像データが記憶されていれば、その画像データを読み出して、対応座標に応じた位置に配置して表示する（Ｓ１１３）。
【０１１６】
なお、上記の実施形態では、通信手段として、ＨＤＭＩ、ＨＤＭＩ ＣＥＣ、ＨＤＭＩ ＨＥＣを代表例として説明したが、これに限定されるものではなく、ＩＥＥＥ１３９４、ＬＡＮ、電力線通信、無線通信、光通信などを利用してもよい。また、周辺機器としてレコーダを代表例として説明したが、これに限定されるものではない。以下に、対応可能な周辺機器とその操作内容、表示内容の一例を示す。
（１）レコーダやプレーヤでは、選局操作、再生操作、録画操作等の操作ができ、再生中番組名、再生時間、チャプタ、トラック、録画タイマなどの情報を表示できる。
（２）オーディオ機器では、ボリューム操作、入力モード切り替え、サウンドモード切り替え等の操作ができ、ボリューム、入力モード、サウンドモードなどの情報を表示できる。
（３）洗濯機では、動作モードの切り替え、選択動作の開始、一時停止、停止等の操作ができ、洗濯の状態（洗い/すすぎ/脱水/乾燥）などの情報を表示できる。
（４）冷蔵庫では、庫内の温度調節、付加機能の設定等の操作ができ、庫内の温度（冷蔵室/冷凍室/保温室）、イオン発生濃度（イオン発生器を備える場合）などの情報を表示できる。
【０１１７】
（５）エアコンでは、設定温度変更、動作モード切り換え、タイマ設定、動作の開始、一時停止、停止等の操作ができ、室温、風向き、風量、機能（冷房/暖房/除湿/送風）、タイマ、イオン発生濃度（イオン発生器を備える場合）などの情報を表示できる。
（６）掃除機では、動作モードの変更、動作の開始、一時停止、停止等の操作ができ、ごみ捨て時期、フィルタ目詰まりのお知らせなどの情報を表示できる。
（７）空気清浄機や加湿器や除湿機では、動作モードの変更、動作の開始、一時停止、停止等の操作ができ、温度、湿度、空気の状態（きれい/汚い）などの情報を表示できる。
（８）イオン発生器では、動作モードの変更、動作の開始、一時停止、停止等の操作ができ、イオン発生濃度などの情報を表示できる。
【０１１８】
（１０）太陽光発電装置では、動作モードの変更、動作の開始、一時停止、停止等の操作ができ、発電量、発電量に相当する消費量、天気などの情報を表示できる。
（１１）携帯電話機では、動作モードの変更、各種設定の変更、発信・受信等の操作ができ、電話着信、メール着信のお知らせなどの情報を表示できる。
（１２）電話機やファクシミリ、液晶表示付電話機では、動作モードの変更、各種設定の変更、発信・受信等の操作ができ、着信のお知らせ、相手の名前、写真などの情報が表示できる。
（１３）フォトプレーヤでは、動作モードの変更、動作の開始、一時停止、停止等の操作ができ、写真、サムネイル、リストなどの情報が表示できる。
【０１１９】
（１４）プロジェクタでは、動作モードの変更、動作の開始、一時停止、停止等の操作ができ、画質モードなどの情報が表示できる。
（１５）電子レンジやオーブンレンジ、オーブントースタでは、動作モードの変更、動作の開始、一時停止、停止等の操作ができ、調理時間、調理完了のお知らせ、オーブン内温度などの情報が表示できる。
（１６）炊飯器では、動作モードの変更、動作の開始、一時停止、停止等の操作ができ、調理時間、調理完了のお知らせなどの情報が表示できる。
（１７）複合機や複写機では、動作モードの変更、動作の開始、一時停止、停止等の操作ができ、用紙の残量、インクの残量などの情報が表示できる。
（１８）ワイアレスカメラシステム（リビングドアスコープ）では、動作モードの変更、応答等の操作ができ、ドアホンのお知らせ、来訪者の顔などの情報が表示できる。
【符号の説明】
【０１２０】
１０…レコーダ、１１…ＨＤＭＩトランスミッタ、１２，２１…メインマイコン、１３…フロントマイコン、１４，２４…ＣＥＣＩ／Ｆ、１５，２５…通信Ｉ／Ｆ、１６，２６…リモコン受光部、１７，２７…ＨＤＭＩコネクタ、１８，２８…ＬＡＮＩ／Ｆ、１９，２９…記憶部、２０…ＴＶ、２２…ＨＤＭＩレシーバ、２３…モニターマイコン、３０…表示部、４０…ＨＤＭＩケーブル、４１…ＴＭＤＳライン、４２…ＣＥＣライン、４３…ＨＥＣライン。
【図１】
2011040144.tif 000003
【図２】
2011040144.tif 000004
【図３】
2011040144.tif 000005
【図４】
2011040144.tif 000006
【図５】
2011040144.tif 000007
【図６】
2011040144.tif 000008
【図７】
2011040144.tif 000009
【図８】
2011040144.tif 000010
【図９】
2011040144.tif 000011
【図１０】
2011040144.tif 000012
【図１１】
2011040144.tif 000013
【図１２】
2011040144.tif 000014
【図１３】
2011040144.tif 000015
【図１４】
2011040144.tif 000016
【図１５】
2011040144.tif 000017
【図１６】
2011040144.tif 000018
【図１７】
2011040144.tif 000019
【図１８】
2011040144.tif 000020
【図１９】
2011040144.tif 000021
【図２０】
2011040144.tif 000022
【図２１】
2011040144.tif 000023
【図２２】
2011040144.tif 000024
【図２３】
2011040144.tif 000025
【図２４】
2011040144.tif 000026
【国際調査報告】
2011040144.tif 000027
2011040144.tif 000028
2011040144.tif 000029
2011040144.tif 000030